(57)【要約】【課題】  既設のトイレを大幅に改造することなく安価に、信頼性の高い汲み取り時期の警告を報知できるトイレの汲み取り時期警報装置の提供。【解決手段】  便槽９内の排泄物堆積レベルを検出する検出手段１０と、前記検出手段からの検出レベルと、予め設定した警報設定レベルを比較して、検出レベルが設定レベルに達すると、排泄物汲み取り時期の警報信号を出力させる判定部１２と、判定部からの警報信号を受けて便槽内の排泄物汲み取り時期を警告させる報知手段１３が設けられている。【選択図】  図1
2005143958.tif 000002
【特許請求の範囲】
【請求項１】
便槽内の排泄物堆積レベルを検出する検出手段と、
前記検出手段からの検出レベルと、予め設定した警報設定レベルを比較して、検出レベルが設定レベルに達すると、排泄物汲み取り時期の警報信号を出力させる判定部と、
判定部からの警報信号を受けて便槽内の排泄物汲み取り時期を警告させる報知手段が設けられていることを特徴とするトイレの汲み取り時期警報装置。
【請求項２】
水洗トイレの水流し回数および／または便座への着席回数および／またはお尻のシャワー洗浄回数を積算する積算手段と、
前記積算手段からの積算回数と、予め設定した警報設定回数とを比較して、積算回数が設定回数に達すると、排泄物汲み取り時期の警報信号を出力させる判定部と、
判定部からの警報信号を受けて便槽内の排泄物汲み取り時期を警告させる報知手段と、
前記積算手段による積算回数のリセット手段が設けられていることを特徴とするトイレの汲み取り時期警報装置。
【請求項３】
前回実施した便槽の汲み取り時以後の経過日数を計測する経過日数計測手段と、
前記経過日数計測手段からの計測日数と、予め設定した警報設定日数とを比較して、計測日数が設定日数に達すると、排泄物汲み取り時期の警報信号を出力させる判定部と、
判定部からの警報信号を受けて便槽内の排泄物汲み取り時期を警告させる報知手段と、
前記経過時間計測手段による計測日数のリセット手段が設けられていることを特徴とするトイレの汲み取り時期警報装置。
【請求項４】
便槽内の排泄物堆積レベルを検出する検出手段と、
前記検出手段が排泄物を検知すると、排泄物汲み取り時期の警報信号を出力させる制御部と、
制御部からの警報信号を受けて便槽内の排泄物汲み取り時期を警告させる報知手段が設けられていることを特徴とするトイレの汲み取り時期警報装置。
【発明の詳細な説明】
【技術分野】
【０００１】
本発明は、汲み取り式トイレの汲み取り時期の警報を報知させるためのトイレの汲み取り時期警報装置に関するものである。
【背景技術】
【０００２】
近年、衛生面や清潔感から、住宅の汲み取り式トイレにおいて、簡易水洗にしたり、お尻のシャワー洗浄装置を設置するなど、便槽に水を流入させることが多くなっている。
このため、汲み取り頻度が多くなっており、また、特に盆や正月などは家族が一挙に増えるので、トイレの使用回数が増え、気が付かない内に便槽が一杯になって慌てて汲み取りを依頼するものの直ぐには対応できず、困る事態が多くなっている。
【０００３】
従来、盆や正月は、早めの汲み取りを自治体が呼びかけることで対処してきているが、本質的な解決策とはなっていないし、日常においてもうっかり忘れて困る事態が発生している。
【０００４】
以上のように、既存の対処策は本質的な解決にはなっていないし、今後、ますます普及するであろう簡易水洗トイレやシャワー洗浄装置を設置したトイレでの、汲み取り時期の警報は大変重要な課題であるにも拘わらず、対応する技術は提供されていなかった。尚、本発明者らが調査した範囲では、先行技術文献情報として引用すべき文献を見出すことができなかった。
【発明の開示】
【発明が解決しようとする課題】
【０００５】
本発明は、上記の点に鑑みてなされたもので、信頼性の高い汲み取り時期の警告を報知できるトイレの汲み取り時期警報装置を、既設のトイレを大幅に改造することなく安価に提供することを課題としている。
【０００６】
本発明者らの調査・研究の結果では、便槽の排泄物堆積量を検知するには堆積レベルを検出するのが最も容易で信頼性が高く、また、１回当たりの平均排泄量は長期でみれば大体安定しているので、トイレの使用回数を積算することでも容易に本機能を達成できることが判明した。
さらに、使用人数が安定していれば（家族構成が同じであれば）トイレでの排泄量は日数に概ね比例するので、経過日数の測定で汲み取り時期を判定することも有効であることが分かった。
【課題を解決するための手段】
【０００７】
上記の課題を解決するために、本発明のトイレの汲み取り時期警報装置（請求項１）は、
便槽内の排泄物堆積レベルを検出する検出手段と、
前記検出手段からの検出レベルと、予め設定した警報設定レベルを比較して、検出レベルが設定レベルに達すると、排泄物汲み取り時期の警報信号を出力させる判定部と、
判定部からの警報信号を受けて便槽内の排泄物汲み取り時期を警告させる報知手段が設けられている構成とした。
【０００８】
便槽の堆積レベルの検出手段はレベル検出器であれば何でもよいが、強い腐食雰囲気であり、また、メンテナンス性や汲み取り時の作業性から、超音波式や赤外線式の非接触式検出器を上部に取り付けて検出する構成とすることが好ましい。
検出手段としては上述の非接触式の他に、排泄物と接触して電気導通を検出したり、静電容量変化を検出する検出器も利用可能である。
又、高さ方向に複数個の検出手段を配置して、各検出手段によって便槽内の排泄物堆積レベルを判定し、排泄物堆積レベルに応じて、複数段階の警報を発生させることができる。
【０００９】
又、本発明のトイレの汲み取り時期警報装置（請求項２）は、
水洗トイレの水流し回数および／または便座への着席回数および／またはお尻のシャワー洗浄回数を積算する積算手段と、
前記積算手段からの積算回数と、予め設定した警報設定回数とを比較して、積算回数が設定回数に達すると、排泄物汲み取り時期の警報信号を出力させる判定部と、
判定部からの警報信号を受けて便槽内の排泄物汲み取り時期を警告させる報知手段と、
前記積算手段による積算回数のリセット手段が設けられている構成とした。
【００１０】
このように、トイレの使用回数を積算する方式では、便座の着座スイッチの電気信号を利用する方法、シャワー洗浄装置のシャワーボタンスイッチの電気信号を利用する方法がある。さらに、簡易水洗トイレでは、使用後の水洗作動を検出して回数積算することも可能である。
【００１１】
又、本発明のトイレの汲み取り時期警報装置（請求項３）は、
前回実施した便槽の汲み取り時以後の経過日数を計測する経過日数計測手段と、
前記経過日数計測手段からの計測日数と、予め設定した警報設定日数とを比較して、計測日数が設定日数に達すると、排泄物汲み取り時期の警報信号を出力させる判定部と、
判定部からの警報信号を受けて便槽内の排泄物汲み取り時期を警告させる報知手段と、
前記経過時間計測手段による計測日数のリセット手段が設けられている構成とした。
【００１２】
前回実施した汲み取り時以後の経過日数を計測する手段としては、時計機能をもったＩＣを備えていれば良いだけなので、安価に構成することができる。
【００１３】
なお、これらの検出手段（請求項１）や積算手段（請求項２）や測定手段（請求項３）、これらを用いたシステムの故障により引き起こされる事態は、トイレが使えなくなるという深刻なものなので、安全のため、上記の検出手段（請求項１）や積算手段（請求項２）や測定手段（請求項３）を組み合わせた構成とすることで、装置全体の信頼性を高めることが望ましい。
【００１４】
又、本発明のトイレの汲み取り時期警報装置（請求項４）は、
便槽内の排泄物堆積レベルを検出する検出手段と、
前記検出手段が排泄物を検知すると、排泄物汲み取り時期の警報信号を出力させる制御部と、
制御部からの警報信号を受けて便槽内の排泄物汲み取り時期を警告させる報知手段が設けられている構成とした。
【発明の効果】
【００１５】
下水道の普及は自治体の財政難で今後は難しく、簡易水洗トイレなどの汲み取り式トイレが今後暫く続く傾向にある。人々は衛生的で快適なトイレを望むし、トイレでの高血圧による事故防止、痔などの疾病患者への対策として非常に効果がある、などの理由で、汲み取り式便槽においての汲み取り時期の警報を報知することは、安心してトイレを水洗化して使用できるようにする点において重要な課題である。
このような課題に対し、本発明によれば、汲み取り式トイレの便槽への容易な取り付けが可能で、迅速で効果の高い汲み取り時期の警報を報知することができる。
【発明を実施するための最良の形態】
【００１６】
以下、本発明の実施の形態を図面に示す実施例によって説明する。
図１は本発明のトイレの汲み取り時期警報装置の第1実施例を示すブロック図で、この実施例では、便槽の排泄物の堆積レベルを判定条件としたシステムを採用している。
【００１７】
図において、１０は便槽９内の排泄物堆積レベルを検出する検出手段としての超音波による非接触型の連続式レベル検出器であり、便槽蓋９１に設置している。
【００１８】
１１は警報設定部で、便槽９の容積に応じて、注意レベル、警報レベルを予め設定し、入力しておく。
【００１９】
１２は判定部で、便槽９の容積余裕度を判定するもので、前記連続式レベル検出器１０からの検出レベルと、設定部１１で予め設定した警報設定レベルを比較し、検出レベルが設定レベルに達すると、排泄物汲み取り時期の警報信号Ｓを出力させる。
【００２０】
１３は報知手段としてのランプ表示装置で、前記判定部１２からの警報信号Ｓを受けて便槽９内の排泄物汲み取り時期の警報を報知させる。この実施例では、安全を表示する緑色ランプ１３ａ、注意を表示する黄色ランプ１３ｂ、警告を表示する赤色ランプ１３ｃが設けられている。
この報知手段としては、ランプ表示装置１３以外に、音声アナウンス装置やブザー報知装置を、単独又はこれらを組み合わせて用いることができる。
【００２１】
このトイレの汲み取り時期警報装置では、警報設定部１１には、レベル１（注意レベル）、レベル２（警告レベル）が予め設定されている。
また、便槽９内の排泄物堆積レベルは、連続式レベル検出器１０により連続的に検出され、その検出レベルと設定レベルとを判定部１２で比較し、判定するようになっている。
【００２２】
この場合、検出レベルがレベル１（注意レベル）に達するまでは、判定部１２は安全判定信号出力し、この安全判定信号を入力したランプ表示装置１３は、安全を表示する緑色ランプ１３ａを点灯させる。
【００２３】
そして、便槽９内の排泄物堆積レベルが上昇して、検出レベルがレベル１（注意レベル）に達すると、判定部１２は注意判定信号出力し、この注意判定信号を入力したランプ表示装置１３は、注意を表示する黄色ランプ１３ｂを点灯させる。この状態は、検出レベルがレベル２（警告レベル）に達するまで維持される。
【００２４】
便槽９内の排泄物堆積レベルが更に上昇して、検出レベルがレベル２（警告レベル）に達すると、判定部１２は警告判定信号出力し、この警告判定信号を入力したランプ表示装置１３は、警告を表示する赤色ランプ１３ｃを点灯させる。
【００２５】
なお、使用者は、注意又は警告の何れの段階で、排泄物の汲み取りを依頼することは任意であり、この排泄物の汲み取りが完了して、排泄物堆積レベルがレベル１（注意レベル）以下になると、次に検出レベルがレベル１（注意レベル）に達するまでは、安全を表示する緑色ランプ１３ａが点灯している。
【００２６】
次に、図２は本発明のトイレの汲み取り時期警報装置の第２実施例を示すブロック図で、この実施例では、水洗トイレの水流し回数の積算回数及びお尻のシャワー洗浄回数の積算回数を判定条件としたシステムを採用している。
【００２７】
図において、２０は水洗トイレの水流し回数の積算手段としてのフラッシュ作動検出部で、その検出信号は、計数器２２に入力される。
又、２１はシャワー洗浄回数の積算手段としての洗浄スイッチ作動検出部で、その検出信号は、計数器２２に入力される。
【００２８】
２３は警報設定部で、警報に必要な回数に応じて、注意回数、警報回数を予め設定し、入力しておく。
この場合、フラッシュ作動回数だけ、又、シャワー洗浄回数だけ、又、両者の合計回数を警報発生回数として設定することができる。
【００２９】
２４は判定部で、便槽９の容積余裕度を判定するもので、前記計数器２２からの積算回数と、設定部２３で予め設定した警報設定回数を比較し、積算回数が設定回数に達すると、排泄物汲み取り時期の警報信号Ｓを出力させる。
【００３０】
２５は報知手段としてのランプ表示装置で、安全を表示する緑色ランプ２５ａ、注意を表示する黄色ランプ２５ｂ、警告を表示する赤色ランプ２５ｃが設けられている。
【００３１】
２６はリセット手段としての近接スイッチで、便槽蓋９１に取り付けられ、便槽蓋９１を開閉することで計数器２２による積算回数をリセットさせて、トイレ使用回数の初期化を行い、新たな便槽堆積の始まりとしている。
【００３２】
このトイレの汲み取り時期警報装置では、警報設定部２３には、レベル１（注意回数）、レベル２（警告回数）が予め設定されている。
【００３３】
計数器２２は、フラッシュ作動検出部２０での検出回数と、洗浄スイッチ作動検出部２１での検出回数を合計する。
そして、この合計した積算回数と、設定回数とを判定部２４で比較し、判定するようになっている。
【００３４】
この場合、積算回数がレベル１（注意回数）に達するまでは、判定部２４は安全判定信号出力し、この安全判定信号を入力したランプ表示装置２５は、安全を表示する緑色ランプ２５ａを点灯させる。
【００３５】
次に、トイレ使用回数が増大して、積算回数がレベル１（注意回数）に達すると、判定部２４は注意判定信号出力し、この注意判定信号を入力したランプ表示装置２５は、注意を表示する黄色ランプ２５ｂを点灯させる。この状態は、積算回数がレベル２（警告回数）に達するまで維持される。
【００３６】
そして、トイレ使用回数が更に増大して、積算回数がレベル２（警告回数）に達すると、判定部２４は警告判定信号出力し、この警告判定信号を入力したランプ表示装置２５は、警告を表示する赤色ランプ２５ｃを点灯させる。
【００３７】
なお、使用者は、注意又は警告の何れの段階で、排泄物の汲み取りを依頼することは任意であり、この排泄物の汲み取りに際し、便槽蓋９１を開閉させると、次に積算回数がレベル１（注意回数）に達するまでは、安全を表示する緑色ランプ２５ａを点灯させる。
【００３８】
次に、図３は本発明のトイレの汲み取り時期警報装置の第３実施例を示すブロック図で、この実施例では、汲み取り時以後の経過日数を判定条件としたシステムを採用している。
【００３９】
図において、３０は前回実施した便槽の汲み取り時以後の経過日数を計測する経過日数計測手段としてのＩＣタイマーであり、後述の判定部３１に設けられている。
【００４０】
３２は警報設定部で、警報設定日数に応じて、注意日数、警報日数を予め設定し、入力しておく。
【００４１】
３１は判定部で、便槽９の容積余裕度を判定するもので、前記ＩＣタイマー３０からの計測日数と、設定部３２で予め設定した警報設定日数を比較し、計測日数が警報設定日数に達すると、排泄物汲み取り時期の警報信号Ｓを出力させる。
【００４２】
３３は報知手段としてのランプ表示装置で、安全を表示する緑色ランプ３３ａ、注意を表示する黄色ランプ３３ｂ、警告を表示する赤色ランプ３３ｃが設けられている。
【００４３】
３４はリセット手段としての近接スイッチで、便槽蓋９１に取り付けられ、便槽蓋９１を開閉することでＩＣタイマー３０をリセットさせて、トイレ使用時期の初期化を行い、新たな便槽堆積の始まりとしている。
【００４４】
このトイレの汲み取り時期警報装置では、警報設定部３２には、レベル１（注意日数）、レベル２（警告日数）が予め設定されている。
【００４５】
そして、ＩＣタイマー３０からの計測日数がレベル１（注意日数）に達するまでは、判定部３１は安全判定信号出力し、この安全判定信号を入力したランプ表示装置３３は、安全を表示する緑色ランプ３３ａを点灯させる。
【００４６】
そして、トイレ使用日数が増大して、ＩＣタイマー３０の計測日数がレベル１（注意日数）に達すると、判定部３１は注意判定信号出力し、この注意判定信号を入力したランプ表示装置３３は、注意を表示する黄色ランプ３３ｂを点灯させる。この状態は、計測日数がレベル２（警告日数）に達するまで維持される。
【００４７】
そして、トイレ使用日数が更に増大して、計測日数がレベル２（警告日数）に達すると、判定部３１は警報判定信号出力し、この警報判定信号を入力したランプ表示装置３３は、警告を表示する赤色ランプ３３ｃを点灯させる。
【００４８】
なお、使用者は、注意又は警告の何れの段階で、排泄物の汲み取りを依頼することは任意であり、この排泄物の汲み取りに際し、便槽蓋９１を開閉させると、次に計測日数がレベル１（注意日数）に達するまでは、安全を表示する緑色ランプ３３ａを点灯させる。
【００４９】
次に、図４は本発明のトイレの汲み取り時期警報装置の第４実施例を示すブロック図で、この実施例では、便槽の排泄物の堆積レベルを判定条件としたシステムを採用している。
【００５０】
この実施例では、便槽９内の排泄物堆積レベルを検出する検出手段として、上下方向に３段階配置で３個の接触型センサが配設されている。
この場合、下段センサ４１が注意センサ、中段センサ４２が警告センサ、上段センサ４３が非常警告センサ（中段センサ４２の故障バックアップも兼ねる）として機能するようにしている。
【００５１】
４４は制御部で、前記下段センサ４１が排泄物に接触すると、注意信号を出力させ、又、前記中段センサ４２が排泄物に接触すると、警告信号を出力させ、又、前記上段センサ４３が排泄物に接触すると、非常警告信号を出力させる。
【００５２】
４５は報知手段としてのランプ表示装置で、前記制御部４４からの信号を受けて便槽９内の排泄物汲み取り時期を報知させる。この実施例では、注意を表示する黄色ランプ４５ａ、警告を点灯によって表示すると共に、非常警告を点滅によって表示する赤色ランプ４５ｂが設けられている。
【００５３】
このトイレの汲み取り時期警報装置では、前記下段センサ４１が排泄物に接触すると、注意信号を出力させ、この注意信号を入力したランプ表示装置４５は黄色ランプ４５ａを点灯させる。
又、前記中段センサ４２が排泄物に接触すると、警告信号を出力させ、この警告信号を入力したランプ表示装置４５は赤色ランプ４５ｂを点灯させる。
前記上段センサ４３が排泄物に接触すると、非常警告信号を出力させ、この非常警告信号を入力したランプ表示装置４５は赤色ランプ４５ｂを点滅させる。
【図面の簡単な説明】
【００５４】
【図１】本発明のトイレの汲み取り時期警報装置の第１実施例を示すブロック図である。
【図２】本発明のトイレの汲み取り時期警報装置の第２実施例を示すブロック図である。
【図３】本発明のトイレの汲み取り時期警報装置の第３実施例を示すブロック図である。
【図４】本発明のトイレの汲み取り時期警報装置の第４実施例を示すブロック図である。
【符号の説明】
【００５５】
１０  連続式レベル検出器
１１  警報設定部
１２  判定部
１３  ランプ表示装置
１３ａ  緑色ランプ
１３ｂ  黄色ランプ
１３ｃ  赤色ランプ
２０  フラッシュ作動検出部
２１  洗浄スイッチ作動検出部
２２  計数器
２３  警報設定部
２４  判定部
２５  ランプ表示装置
２５ａ  緑色ランプ
２５ｂ  黄色ランプ
２５ｃ  赤色ランプ
３０  ＩＣタイマー
３１  判定部
３２  警報設定部
３３  ランプ表示装置
３３ａ  緑色ランプ
３３ｂ  黄色ランプ
３３ｃ  赤色ランプ
４１  下段センサ
４２  中段センサ
４３  上段センサ
４４  制御部
４５  ランプ表示装置
４５ａ  黄色ランプ
４５ｂ  赤色ランプ
９  便槽
９１  便槽蓋
Ｓ  警報信号
【図１】
2005143958.tif 000003
【図２】
2005143958.tif 000004
【図３】
2005143958.tif 000005
【図４】
2005143958.tif 000006